(57)【要約】      （修正有）【課題】ブラッシングの時には、ブラシピンによる適度なタッチで、地肌の血行を促し髪の成長や艶やかな髪を保つマッサージ機能ができ、ブローの時には、植毛面のクッション性がサスペンションとしての役割を果たし、しっかりと髪を捉えることのできるロールブラシの提供する。【解決手段】ブラシ本体１と、該ブラシ本体１に取り付けられるブラシピン３を具備した筒状のクッションパッド２とキャップ４から成り、ブラシ本体１に取り付けられたクッションパッド２が変形復元性を有するヘアーブラシ。【選択図】図１
2015223313.tif 000002
【特許請求の範囲】
【請求項１】
ブラシ本体と、該ブラシ本体に取り付けられるブラシピンを具備した筒状のクッションパッドとキャップから成り、ブラシ本体に取り付けられたクッションパッドが変形復元性を有するヘアーブラシ。
【請求項２】
クッションパッドが変形し凹むことのできる中空部を有する請求項１記載のヘアーブラシ。
【請求項３】
中空部の空気の吸入排出する為の空気孔を備えたことを特徴とする請求項１、２記載のヘアーブラシ。
【請求項４】
クッションパッドに通風孔を備えたことを特徴とする請求項１〜３のいずれか１項に記載のヘアーブラシ。
【請求項５】
軸体に撓りを持たせたことを特徴とする請求項１〜４のいずれか１項に記載のヘアーブラシ。
【請求項６】
ブラシピンを具備した筒状のクッションパッドを取り換えることのできる請求項１〜５のいずれか１項に記載のヘアーブラシ。
【発明の詳細な説明】
【技術分野】
【０００１】
本発明は、ヘアーブラシに関する発明である。
【背景技術】
【０００２】
ヘアーブラシには、スケルトンブラシ、ロールブラシ、クッションブラシ、その他多くの種類があり、形状や素材、目的用途などは様々である。それらの中でクッションブラシは、ブラシピンが植え込まれた植毛面が、適度に変形し復元するクッション性を有する中空のドーム状に形成されており、この構造により、ブラシピンに掛かる力を植毛面が吸収し、変形して凹むことで、頭皮へのブラシピンの当たり具合を適度なものにし、ブラシピンによる心地よい頭皮マッサージを行うことができる機能が特徴である。また、形状は違うが、パドルブラシも同じ構造で同様の機能を有している。これらのヘアーブラシは主に、ブラッシングの時に使われ、ブラッシングと同時に頭皮マッサージすることができる。これを可能にしているのが、天然ゴムや合成ゴムなどの可撓性素材で構成された植毛面が、そのクッション性を活かすために中空に形成されている構造と、ブラシピンに力が掛かった際に、植毛面のクッション性がその力を吸収して、中空の空間に変形して凹む仕組みである。
【０００３】
上記の機能を有するヘアーブラシとして、特許文献１に記載されたクッションブラシ、特許文献２に記載されたパドルブラシがあるが、ロールブラシにおいて、これらのような構造を持ったものはなく、例えば、特許文献３に記載されたロールブラシは、植毛部が木やプラスチックなどの弾性素材で構成された中空の円筒状で、その植毛部の長手方向に沿って一または二以上の切り込みを形成している為、ロールブラシ全体は弾性に富んではいるが、その中空の円筒状の植毛部が変形復元するようなクッション性はない。仮にクッション性を持たすことのできる弾性素材であるならば、この構造では、植毛部を支えなしで保持し、ブラシとしての機能を保つには無理がある。特許文献４に記載されたロールブラシは、天然ゴムや合成ゴムなどの可撓性材料を筒状に形成してなるブラシ毛筒体が、中空のブラシ軸体に対して密接状態で外挿することで構成されており、その為、ＡＢＳ樹脂等からなるブラシ軸体が密接して内挿されていることが支障となり、たとえブラシ毛筒体がクッション性を有していたとしても、変形し凹むことのできない構造である。このように、今までのロールブラシにおいて、可撓性を有する素材を用いた植毛面がそのクッション性を活かすために中空に形成され、且つ、植毛面がブラシピンに掛かる力を吸収し、その中空の空間に変形して凹む構造のものは皆無であった。
【先行技術文献】
【特許文献】
【０００４】
【特許文献１】特開２００９−６０３８
【特許文献２】特開２００２−１２５７５９
【特許文献３】特開１９９７−１４０４４９
【特許文献４】特開１９９６−１４０７３６
【発明の概要】
【発明が解決しようとする課題】
【０００５】
ロールブラシの特徴としては、筒状の形状をしたものにブラシピンが放射状に延びており、ブラッシングというよりは主にドライヤーでブローする時に使用されることが多く、クッションブラシやパドルブラシのようなマッサージ機能を兼ね備えたものは今までにはなかった。そこで、本発明は、ブラッシングの時には、ブラシピンによる適度なタッチで、地肌の血行を促し髪の成長や艶やかな髪を保つマッサージができ、ブローの時には、植毛面のクッション性がサスペンションとしての役割を果たし、しっかりと髪を捉えることのできるロールブラシの提供を目的とする。
【課題を解決するための手段】
【０００６】
本明細書によれば以下の発明が提供される。
（１）ブラシ本体と、該ブラシ本体に取り付けられるブラシピンを具備した筒状のクッションパッドとキャップから成り、ブラシ本体に取り付けられたクッションパッドが変形復元性を有するヘアーブラシ。
（２）クッションパッドが変形し凹むことのできる中空部を有する（１）記載のヘアーブラシ。
（３）中空部の空気の吸入排出する為の空気孔を備えたことを特徴とする（１）または（２）記載のヘアーブラシ。
（４）クッションパッドに通風孔を備えたことを特徴とする（１）〜（３）のいずれか１に記載のヘアーブラシ。
（５）軸体に撓りを持たせたことを特徴とする（１）〜（４）のいずれか１に記載のヘアーブラシ。
（６）ブラシピンを具備した筒状のクッションパッドを取り換えることのできる（１）〜（５）のいずれか１に記載のヘアーブラシ。
【発明の効果】
【０００７】
本発明は、ブラシピンを具備した植毛面が可撓性素材から成り、その素材のクッション性を活かす為に中空に形成し、ブラシピンに力が掛かった際に、植毛面がその力を吸収し変形して凹むことで、ブラッシングの時には、ブラシピンによる適度なタッチで、地肌の血行を促し髪の成長や艶やかな髪を保つマッサージができ、ブローの時には、そのクッション性によりサスペンションの役割を果たすことで、髪をしっかりと捉えることのできるロールブラシである。
【発明を実施するための形態】
【０００８】
上記の課題を解決する為に、本発明のロールブラシ（図１参照）はブラシ本体１、クッションパッド２、クッションパッド２に具備されたブラシピン３、キャップ４から構成されている。図２が示すように、クッションパッド２に具備されたブラシピン３は放射状に形成されており、ブラシピン３に力が掛かった際に、クッションパッド２がそのクッション性により、図３、図４に示された中空部２ｃの空間に変形して凹み、その力を吸収することで、頭皮へのブラシピン３の当たり具合を適度なものにし、ブラッシングの時には、ブラシピン３による心地よい頭皮マッサージを実現している。また、ブローの時には、そのクッション性がサスペンションの役割を果たし、しっかりと髪を捉えることができる。
【０００９】
ブラシ本体１は、図６が示すように軸体１ａ、把持部１ｂ、クッションパッド支持部１ｃから構成され、軸体１ａの先端を図７にあるキャップ４の嵌合穴４ａ（図８参照）にスナップフィットにより嵌め込んだ状態が図５である。軸体１ａは、キャップ４を伴って、ブラシ本体１に取り付けられるブラシピン３を具備したクッションパッド２を安定させる為、支柱としての役割を果たしており、素材、形状、肉厚などにより撓りを持たすことができ、それによりブローの時には、髪に対してグリップ感を得ることができる。本発明の実施形態では、軸体１ａは円筒形状であるが、クッションパッド２を安定して支えることができ、中空部２ｃを確保しクッションパッド２が凹む空間があれば、形状などは特に拘りはなく、また、中空の筒状でも構わない。
【００１０】
クッションパッド２は、図９、図１０のようにブラシピン３が具備されており、天然ゴム、合成ゴム、熱可塑性エラストマー、熱可塑性樹脂などの可撓性を有する素材から成り、形状は本発明の実施形態では円筒形状であるが、楕円筒形状や多角筒形状でもよく、更には、提灯のように曲面を帯びた形状でも構わない。素材として天然ゴムや合成ゴムなどを用いることで、ブローの時にはテンションが掛けやすくなる。クッションパッド２のクッション性は、素材、肉厚、形状などによって決まり、ブラシピン３の素材と合わせて考慮し、ブラシピン３の頭皮への当たり具合を調整すればよい。ブラシピン３の他に、通風孔２ａと空気孔２ｂが備えられており、通風孔２ａはドライヤーでブローする時に、ドライヤーの風の抜けを良くする為のもので、それにより熱が籠ることを防ぎ、短時間で髪を乾かすことができる。一方、空気孔２ｂは、中空部２ｃの空気の吸入排出を行う為のもので、これによりクッションパッド２がスムーズに変形復元する役割を担っている。空気孔２ｂは、クッションパッド２に設ける代わりにブラシ本体１やキャップ４に設けてもよく、その個数や位置、大きさや形などに決まりはなく、空気の吸入排出に支障がない範囲であればよい。また、空気孔２ｂを設けず通風孔２ａにその役割を担うようしてもよい。尚、通風孔２ａも同様に、風が通り抜けることができる範囲であれば、個数や位置、大きさや形などには決まりはない。
【００１１】
ブラシピン３は、素材によって頭皮への当たり具合や心地よさが変わる為、獣毛、合成樹脂、木材、金属など様々な素材が使用され、一種類の素材で構成される場合が多いが、ナイロンと豚毛というように、二種類又はそれ以上の素材を併用してもよく、また、クッションパッド２のクッション性を保つことができる範囲であれば、ブラシピン３の形状、大きさ、位置などは特に拘らない。本発明の実施形態では、ブラシピン３をクッションパッド２にピン挿し込み方式で取り付けているが、獣毛などであれば植毛方式で行い、また、他の方法として、一体形成方式でも構わない。つまり、製造面や加工面を考慮するとともにクッションパッド２とブラシピン３の素材を吟味し、最適な方法を選択すればよい。
【００１２】
本発明の実施形態によるロールブラシの組み立ては、図６で示したブラシ本体１にブラシピン３を具備したクッションパッド２（図９，図１０参照）の中空部２ｃに軸体１ａを通し入れ、クッションパッド２を密接に外挿した状態でクッションパッド支持部１ｃに設置し、同様に、図７で示したキャップ４に対しても密接するように外挿し、軸体１ａを嵌合穴４ａに嵌め込むことで組み立てられる。若しくは、クッションパッド２にキャップ４を先に取り付けた上で、軸体１ａに通し入れクッションパッド支持部１ｃに設置し、軸体１ａを嵌合穴４ａに嵌め込んでも構わない。また、分解する場合には、これらの逆の手順で行えばよい。
【００１３】
上記のように、簡易に組立分解を行えることで、ブラシ本体１をそのまま使用し、径の大きさ違うクッションパッド２の取り換えができる。例えば、ストレートヘアーであれば大きめの径、ウェーブヘアーであれば小さめの径、というようにクッションパッド２を髪型や髪質などにあったものに変えることができる。その際、付属のアタッチメントとして、径の大きさが違うもの、形状が違うもの、ブラシピンの素材や配置が違うものなど、様々なブラシピン３を具備したクッションパッド２を用意することで、１本のロールブラシ対応できる幅が広がる。
【００１４】
以上が本発明の実施形態に掛かるロールブラシであるが、カールドライヤーのようにヘアードライヤーと一体化して取り付けられるロールブラシなどにも応用ができる。  
【図面の簡単な説明】
【００１５】
【図１】本発明の実施形態によるロールブラシの正面図である。
【図２】本発明の実施形態によるロールブラシの平面図である。
【図３】本発明の実施形態の図１におけるＡ−Ａ線の断面図である。
【図４】本発明の実施形態によるキャップを取り外した状態のロールブラシの平面図である。
【図５】本発明の実施形態によるブラシピンが植設されたクッションパッドを取り外した状態のブラシ本体の正面図である。
【図６】本発明の実施形態によるキャップをブラシ本体から取り外した状態の正面図である。
【図７】本発明の実施形態によるキャップの正面図である。
【図８】本発明の実施形態の図７におけるＢ−Ｂ線の断面図である。
【図９】本発明の実施形態によるブラシピンが植設されたクッション素材の正面図である。
【図１０】本発明の実施形態によるブラシピンが植設されたクッション素材の平面図である。
【符号の説明】
【００１６】
１    ブラシ本体
１ａ  軸体
１ｂ  把持部
１ｃ  クッションパッド支持部
２    クッションパッド
２ａ  通風孔
２ｂ  空気孔
２ｃ  中空部
３    ブラシピン
４    キャップ
４ａ  嵌合穴
【図１】
2015223313.tif 000003
【図２】
2015223313.tif 000004
【図３】
2015223313.tif 000005
【図４】
2015223313.tif 000006
【図５】
2015223313.tif 000007
【図６】
2015223313.tif 000008
【図７】
2015223313.tif 000009
【図８】
2015223313.tif 000010
【図９】
2015223313.tif 000011
【図１０】
2015223313.tif 000012